(57)【要約】 【課題】  データドライバ等の消費電力の低減等を図る。【解決手段】  サブフィールド変換回路１２で変換されたサブフィールド内の発光率（点灯率）を算定して書込み選択方法又は消去選択方法を指定する指定信号をサブフィールド変換回路１２及び駆動信号制御回路１５に出力する。サブフィールド変換回路１２は、供給された指定信号対応の映像データ信号をデータドライバ１４に供給する。駆動信号制御回路１５は、供給された指定信号に応じて決まる走査ドライバ制御信号を走査ドライバ１６に供給すると共に、共通ドライバ制御信号を共通ドライバ１８に供給する。これにより、プラズマディスプレイパネル１００の全表示セルは上記映像信号、走査ドライバ制御信号及び共通ドライバ制御信号に応じた非発光又は発光状態にされた後、データドライバ１４によって上記映像データ信号対応の表示セルが発光又は消光される。【選択図】図１
2005215246.tif 000002
【特許請求の範囲】
【請求項１】
フィールド又は該フィールドの一部の映像画素信号に基づいて該映像画素信号に対応するプラズマディスプレイパネルの点灯表示セル又は非点灯表示セルの数を計数し、
該計数の結果に基づいて書込み選択式アドレス駆動モード又は消去選択式アドレス駆動モードのうちのいずれか一方を選択するプラズマディスプレイパネルの駆動方法。
【請求項２】
前記点灯表示セルの数が所定数を超えているとき、前記消去選択式アドレス駆動モードを選択することを特徴とする請求項１記載のプラズマディスプレイパネルの駆動方法。
【請求項３】
前記点灯表示セルの数が所定数未満のとき、前記書込み選択式アドレス駆動モードを選択することを特徴とする請求項１記載のプラズマディスプレイパネルの駆動方法。
【請求項４】
前記非点灯表示セルの数が所定数を超えているとき、前記書込み選択式アドレス駆動モードを選択することを特徴とする請求項１記載のプラズマディスプレイパネルの駆動方法。
【請求項５】
前記非点灯表示セルの数が所定数未満のとき、前記消去選択式アドレス駆動モードを選択することを特徴とする請求項１記載のプラズマディスプレイパネルの駆動方法。
【請求項６】
複数の映像画素信号を含むフィールド内の連続する第１の走査ライン及び第２の走査ライン毎に前記映像画素信号を表示画像信号に変換し、
変換された前記表示画素信号間の変位数を計数し、
該計数の結果に基づいて書込み選択式アドレス駆動モード又は消去選択式アドレス駆動モードを選択することを特徴とするプラズマディスプレイパネルの駆動方法。
【請求項７】
前記変位数が所定数を超えているとき、前記第１の走査ラインに対応する表示セル行に対して選択されていたアドレス駆動モードとは異なるアドレス駆動モードを、前記第２の走査ラインに対応する表示セル行に対して選択することを特徴とする請求項６記載のプラズマディスプレイパネルの駆動方法。
【請求項８】
映像信号の映像画素信号を表示画素信号に変換し、
変換される前記表示画素信号又は前記表示画素信号間の変位数を計数すると共に、書込み選択式アドレス駆動モードと消去選択式アドレス駆動モードとの間の変更回数を計数し、
該計数の結果に基づいて前記アドレス駆動モードを選択することを特徴とするプラズマディスプレイパネルの駆動方法。
【請求項９】
前記表示画素信号の計数は、前記データドライバに放電電流を流させる前記表示画素信号の数の計数であることを特徴とする請求項８記載のプラズマディスプレイパネルの駆動方法。
【請求項１０】
前記表示画素信号の計数は、前記データドライバに変位電流を流させる前記表示画素信号の数の計数であることを特徴とする請求項８記載のプラズマディスプレイパネルの駆動方法。
【請求項１１】
前記データドライバに放電電流又は変位電流を流させる前記表示画素信号の数を計数し、かつ、前記共通ドライバに変位電流を流させる前記アドレス駆動モード間の変更回数を計数して前記アドレス駆動モードを選択することを特徴とする請求項８記載のプラズマディスプレイパネルの駆動方法。
【請求項１２】
映像信号の映像画素信号をフィールド毎に表示画素信号に変換する変換回路と、
プラズマディスプレイパネルと、
前記表示画素信号により点灯指示される前記プラズマディスプレイパネル内の表示セル全部又は一部の点灯表示セル又は非点灯表示セルの数を計数し、該計数の結果に基づいて書込み選択式アドレス駆動モード又は消去選択式アドレス駆動モードを選択するサブフィールド演算回路と、
該サブフィールド演算回路が選択したアドレス駆動モードにより前記プラズマディスプレイパネルを駆動する駆動制御回路とを具備するプラズマディスプレイパネルの駆動装置。
【請求項１３】
前記サブフィールド演算回路は、前記点灯表示セル数が所定数を超えているとき、前記消去選択式アドレス駆動モードを選択することを特徴とする請求項１２記載のプラズマディスプレイパネルの駆動装置。
【請求項１４】
前記サブフィールド演算回路は、前記点灯表示セル数が所定数未満のとき、前記書込み選択式アドレス駆動モードを選択することを特徴とする請求項１２記載のプラズマディスプレイパネルの駆動装置。
【請求項１５】
前記サブフィールド演算回路は、前記非点灯表示セル数が所定数を超えているとき、前記書込み選択式アドレス駆動モードを選択することを特徴とする請求項１２載のプラズマディスプレイパネルの駆動装置。
【請求項１６】
前記サブフィールド演算回路は、前記非点灯表示セル数が所定数未満のとき、前記消去選択式アドレス駆動モードを選択することを特徴とする請求項１２載のプラズマディスプレイパネルの駆動装置。
【請求項１７】
映像信号の映像画素信号をフィールド毎に表示画像信号に変換する変換回路と、
プラズマディスプレイパネルと、
前記フィールドにおいて連続する第１の走査ライン及び第２の走査ライン毎に前記表示画素信号間の変位数を計数し、該計数の結果に基づいて書込み選択式アドレス駆動モード又は消去選択式アドレス駆動モードを選択するサブフィールド演算回路と、
該サブフィールド演算回路が選択したアドレス駆動モードにより前記プラズマディスプレイパネルを駆動する駆動制御回路とを具備することを特徴とするプラズマディスプレイパネルの駆動装置。
【請求項１８】
前記サブフィールド演算回路は、前記変位数が所定数を超えているとき、前記第１の走査ラインに対応する前記プラズマディスプレイパネルの表示セル行に対して選択されていた前記アドレス駆動モードとは異なる前記アドレス駆動モードを、前記第２の走査ラインに対応する前記表示セル行に対して選択することを特徴とする請求項１７記載のプラズマディスプレイパネルの駆動装置。
【請求項１９】
映像信号の映像画素信号を表示画像信号に変換する変換回路と、
プラズマディスプレイパネルと、
前記変換回路により変換される前記表示画素信号又は前記表示画素信号間の変位数を計数すると共に、書込み選択式アドレス駆動モードと消去選択式アドレス駆動モードとの間の変更回数を計数し、該計数の結果に基づいて前記アドレス駆動モードを選択するサブフィールド演算回路と、
該サブフィールド演算回路により選択された前記アドレス駆動モードで前記プラズマディスプレイパネルを駆動する駆動制御回路とを具備することを特徴とするプラズマディスプレイパネルの駆動装置。
【請求項２０】
前記サブフィールド演算回路における前記表示画素信号の計数は、前記プラズマディスプレイパネルのデータドライバに放電電流を流させる前記表示画素信号の数の計数であることを特徴とする請求項１９記載のプラズマディスプレイパネルの駆動装置。
【請求項２１】
前記サブフィールド演算回路における前記表示画素信号間の変位数の計数は、前記プラズマディスプレイパネルのデータドライバに変位電流を流させる前記表示画素信号の数の計数であることを特徴とする請求項１９記載のプラズマディスプレイパネルの駆動装置。
【請求項２２】
前記サブフィールド演算回路は、前記プラズマディスプレイパネルのデータドライバに放電電流又は変位電流を流させる前記表示画素信号の数を計数し、かつ、前記プラズマディスプレイパネルの共通ドライバに変位電流を流させる前記アドレス駆動モード間の変更回数を計数して前記アドレス駆動モードを選択することを特徴とする請求項１９記載のプラズマディスプレイパネルの駆動装置。
【請求項２３】
前記共通ドライバは、前記プラズマディスプレイパネルの共通電極を個別に駆動することを特徴とする請求項１９、２０、２１又は２２記載のプラズマディスプレイパネルの駆動装置。
【請求項２４】
入力された映像信号を受信する入力部と、請求項１２乃至２２のうちのいずか一に記載のプラズマディスプレイパネルの駆動装置と、前記入力部で受信した映像信号を前記駆動装置で必要なデジタル信号に変えて該デジタル信号を前記駆動装置に供給するインタフェース装置とを具備するプラズマ表示装置。
【発明の詳細な説明】
【技術分野】
【０００１】
この発明は、プラズマディスプレイパネルの駆動方法及びその装置並びにプラズマ表示装置に関し、詳しくはプラズマディスプレイパネルのデータドライバ及び又は共通ドライバでの消費電力の低減等を達成し得るプラズマディスプレイパネルの駆動方法及びその装置並びにプラズマ表示装置に関する。
【背景技術】
【０００２】
プラズマディスプレイパネル（以下、ＰＤＰともいう）は、一般に、薄型で大画面表示が比較的容易にできること、視野角が広いこと、応答速度が速いこと等、数多くの特長を備えているディスプレイパネルである。
これらの特長があるため、近年、フラットディスプレイとして、壁掛けテレビや公共表示板等として利用されている。
従来、プラズマディスプレイパネルの駆動に、サブフィールド法が採用されている。このサブフィールド法は、表示される画像の階調を表現する１つの手段として用いられる。
すなわち、このサブフィールド法は、１画面のフィールドを複数のサブフィールドに分割し、１画面の画素対応に、各サブフィールドの維持期間における維持放電の回数を表現したい階調に応じて設定し、設定された回数の維持放電を上記維持期間で発生させることにより、１画面内の各画素を所望の階調で表示させるものである。
【０００３】
以下、サブフィールド法を用いたプラズマディスプレイパネルの時分割階調表示方法について図１５及び図１６を参照して説明する。
先ず、時分割階調表示における書込み選択方法について説明する。
図１５は、プラズマディスプレイパネル１００を模式的に示すと共に、その駆動装置１１０を示す図である。
図１５に示すプラズマディスプレイパネル１００は、水平方向に配置された所定数の走査電極１０２ｉ（ｉ＝１、２、…、Ｍ）と、走査電極１０２ｉと平行であって同数の共通電極１０４ｉと、各走査電極１０２ｉ及び各共通電極１０４ｉと直交した、すなわち、垂直方向に配置されたデータ電極１０６ｊ（ｊ＝１、２、…、Ｎ）とを有して概略構成されている。
走査電極１０２ｉ及び共通電極１０４ｉとデータ電極１０６ｊとの交点毎に、１つの表示セル１０８ｉｊが形成されている。
【０００４】
プラズマディスプレイパネル１００の駆動装置１１０は、図１６に示すように、１フィールドの映像信号を供給されるサブフィールド変換回路１１２と、入力をサブフィールド変換回路１０２の出力に接続し、出力の各々を各別に対応するデータ電極１０６ｊに接続したデータドライバ１１４と、各走査電極１０２ｉに各別に接続された走査ドライバ１１６と、各共通電極１０４ｉのいずれにも共通に接続された共通ドライバ１１８と、走査ドライバ１１６及び共通ドライバ１１８に接続された駆動信号制御回路１２０とから構成されている。
【０００５】
サブフィールド変換回路１１２は、１フィールドの映像信号を所定数の、例えば、８つのサブフィールドの各サブフィールドの映像データ信号、例えば、２進信号の０又は１に変換する回路である。
データドライバ１１４は、各サブフィールドの映像データ信号を受信して各映像データ信号対応のデータパルスを対応するデータ電極１０６ｊに順次印加するドライバである（図１７の（３））。
【０００６】
駆動信号制御回路１２０は、いずれのサブフィールドにおいても、書込み選択を生ぜしめるための走査ドライバ制御信号（以下、書込み選択用の走査ドライバ制御信号という）（サブフィールド毎の維持期間内の放電回数を示す放電回数信号を含む）を走査ドライバ１１６に供給し、かつ、書込み選択を生ぜしめるための共通ドライバ制御信号（以下、書込み選択用の共通ドライバ制御信号という）（サブフィールド毎の維持期間内の放電回数を示す放電回数信号を含む）を共通ドライバ１１８に供給する回路である。
【０００７】
走査ドライバ１１６ｉは、書込み選択用の走査ドライバ制御信号を受信してリセット期間において予備放電パルス及び予備放電消去パルスをすべての走査電極１０２ｉに印加し、アドレス期間において走査パルスを線順次で対応する走査電極１０２ｉに印加し、維持期間においてすべての走査電極１０２ｉに書込み選択用の走査ドライバ制御信号内の放電回数信号で示される数の維持パルス、そして維持消去パルスを印加するドライバである（図１７の（２−１）、（２−２）、…、（２−Ｍ））。
共通ドライバ１１８は、書込み選択用の共通ドライバ制御信号を受信してリセット期間において予備放電パルスをすべての共通ドライバ１０４ｉに印加し、アドレス期間においてすべての共通電極１０４ｉに所定の電圧（高レベルの電圧）を印加し、維持期間においてすべての共通電極１０４ｉに書込み選択用の走査ドライバ制御信号内の放電回数信号で示される数の維持パルス、そして消去のための電圧を印加するドライバである（図４の（１））。
【０００８】
上記構成の駆動装置１１０により、プラズマディスプレイパネル１００を書込み選択式アドレス駆動モード（以下、書込み選択方法ともいう）で駆動する場合について説明する。
ＰＤＰ装置に入力されて来る映像信号の各フィールドは、順次、サブフィールド変換回路１１２に供給される。サブフィールド変換回路１１２は、所定数、例えば、８つのサブフィールドの映像データ信号に変換する。
【０００９】
駆動信号制御回路１２０は、ＰＤＰ装置に入力されて来る映像信号をそのフィールド毎にサブフィールド変換回路１１２で所定数のサブフィールドに変換し、そのサブフィールド毎に、そのリセット期間において、プラズマディスプレイパネルのすべての表示セルを非発光にして置き、アドレス期間に１フィールド内の画素対応の表示セルを発光させる書込み選択方法に予め設定されている。
駆動信号制御回路１２０は、走査ドライバ１１６に対して書込み選択用の走査ドライバ制御信号を供給し、かつ、共通ドライバ１１８に対して書込み選択用の共通ドライバ制御信号を供給する。
【００１０】
その走査ドライバ１１６は、図１７の（２−ｉ）に示すように、すべての走査電極１０２ｉに一斉に予備放電パルス、そして予備放電消去パルスを印加すると同時に、共通ドライバ１１８は、図１７の（１）に示すように、すべての共通電極１０４ｉに一斉に予備放電パルスを印加する。
これらのパルスの印加により、プラズマディスプレイパネル１００のすべての表示セル１０８ｉｊは、非発光状態に置かれる。
【００１１】
そして、サブフィールド変換回路１１２で変換された各サブフィールド内の映像データ信号（上記フィールドの画素データ信号対応の信号）の各々は、サブフィールド毎のアドレス期間内に、線順次で、データドライバ１１４へ供給される。
そのデータドライバ１１４は、各映像データ信号対応のデータパルスを対応するデータ電極１０６ｊに順次印加して行く（図１７の（３））。
【００１２】
上述のように、走査ドライバ１１６が、線順次で、走査パルスを各走査電極１０２ｉに順次印加するのと同期して、データドライバ１１４が、走査パルスの印加期間中に、該印加と同期した走査ライン内の対応する各データパルスを各データ電極１０６ｊに順次印加して行くので、走査パルスが印加され、かつ、データパルスが印加された表示セル１０８ｉｊは発光（点灯）される。
【００１３】
そして、動作が維持期間に進むと、走査ドライバ１１６はすべての走査電極１０２ｉに、また、共通ドライバ１１８はすべての維持電極１０４ｉにサブフィールド毎に、上記放電回数信号で決まる回数であって、かつ、逆極性の維持パルスを交互に印加して当該サブフィールドの維持期間において上記回数だけの発光を繰り返す。
そして、その維持期間において、走査ドライバ１１４が、維持消去パルスをすべての走査電極１０２ｉに一斉に印加して継続されている発光を消光（消灯）させる。
【００１４】
次に、時分割階調表示における消去選択式アドレス駆動モード（以下、消去選択方法ともいう）について説明する。
消去選択方法においても、プラズマディスプレイパネル１００の構成は書込み選択方法の場合と同じであるが（図１５）、その駆動装置１１０Ａも以下に述べる点を除き同じである。
【００１５】
駆動装置１１０Ａは、図１８に示すように、サブフィールド変換回路１１２Ａと、データドライバ１１４と、走査ドライバ１１６Ａと、共通ドライバ１８Ａと、駆動信号制御回路１２０Ａとから構成されている。上記相違点は、サブフィールド変換回路１１２Ａと、走査ドライバ１１６Ａと、共通ドライバ１８Ａと、駆動信号制御回路１２０Ａとにある。
【００１６】
サブフィールド変換回路１１２Ａは、１フィールドの映像信号を所定数の、例えば、８つのサブフィールド毎に、サブフィールドを構成する映像データ信号の各々を反転した形式に変換してデータドライバ１１４へ出力する回路である。
駆動信号制御回路１２０Ａは、いずれのサブフィールドにおいても、消去選択を生ぜしめるための走査ドライバ制御信号（消去選択用の走査ドライバ制御信号）（消去選択用の走査ドライバ制御信号には放電回数を示す放電回数信号が含まれる）を走査ドライバ１１６Ａに供給し、かつ、消去選択を生ぜしめるための共通ドライバ制御信号（消去選択用の共通ドライバ制御信号）（消去選択用の共通ドライバ制御信号には放電回数を示す放電回数信号が含まれる）を共通ドライバ１１８Ａに供給する回路である。
【００１７】
走査ドライバ１１６Ａは、消去選択用の走査ドライバ制御信号を受信してリセット期間において予備放電パルスをすべての走査電極１０２ｉに印加し、アドレス期間において走査パルスを線順次で対応する走査電極１０２ｉに印加し、維持期間においてすべての走査電極１０２ｉに消去選択用の走査ドライバ制御信号内の放電回数信号で決まる回数の維持パルス、そして維持消去パルスを印加するドライバである（図１９の（２−１）、（２−２）、…、（２−Ｍ））。
【００１８】
共通ドライバ１１８Ａは、消去選択用の共通ドライバ制御信号を受信してリセット期間において予備放電パルスをすべての共通ドライバ１０４ｉに印加し、アドレス期間においてすべての共通電極１０４ｉに所定の電圧（低レベルの電圧）を印加し、維持期間においてすべての共通電極１０４ｉに消去選択用の共通ドライバ制御信号内の放電回数信号で決まる回数の維持パルス、そして消去のための電圧を印加するドライバである（図１９の（１））。
【００１９】
上記構成の駆動装置１１０Ａにより、プラズマディスプレイパネル１００を消去選択方法で駆動する場合について説明する。
ＰＤＰ装置に入力されて来る映像信号の各フィールドは、順次、サブフィールド変換回路１１２Ａに供給される。サブフィールド変換回路Ａは、各フィールドの映像信号を所定数、例えば、８つのサブフィールド毎に反転形式の映像データ信号に変換する。
【００２０】
駆動信号制御回路１２０Ａは、ＰＤＰ装置に入力されて来る映像信号をそのフィールド毎にサブフィールド変換回路１１２で所定数のサブフィールドに変換し、そのサブフィールド毎に、当該サブフィールドのリセット期間において、プラズマディスプレイパネル１００のすべての表示セルを発光させ、アドレス期間に１フィールド内の発光対象の表示セルのみを発光させたまま残し、非発光対象の表示セルを消去させる消去選択方法に予め設定されている。
駆動信号制御回路１２０Ａは、上記設定状態において、サブフィールド毎に消去選択用の走査ドライバ制御信号を走査ドライバ１１６Ａに供給し、かつ、消去選択用の共通ドライバ制御信号を共通ドライバ１１８Ａに供給する。
【００２１】
その走査ドライバ１１６Ａは、図１９の（２−ｉ）に示すように、すべての走査電極１０２ｉに一斉に予備放電パルスを印加すると同時に、共通ドライバ１１８は、図１９の（１）に示すように、すべての共通電極１０４ｉに一斉に予備放電パルスを印加する。
これらのパルスの印加により、プラズマディスプレイパネル１００のすべての表示セル１０８ｉｊは、発光状態に置かれる。
【００２２】
サブフィールド変換回路１１２Ａで変換された各サブフィールド内の反転形式の映像データ信号（上記フィールドの画素データ信号対応の映像データ信号を反転した信号）の各々は、サブフィールド毎のアドレス期間内に、線順次で、データドライバ１１４へ供給される。
そのデータドライバ１１４は、反転形式の各映像データ信号をデータパルスにして対応するデータ電極１０６ｊに順次印加して行く（図１９の（３））。
【００２３】
上述のように、走査ドライバ１１６Ａが、線順次で、走査パルスを各走査電極１０２ｉに順次印加するのと同期して、データドライバ１１４が、走査パルスの印加期間中に、走査ライン内の対応する各データパルスを各データ電極１０６ｊに順次印加して行くので、走査パルスが印加され、かつ、映像データパルスが印加された非発光対象の表示セル１０８ｉｊは消光（消灯）される。
なお、維持期間の動作は、書込み選択の場合と同じである。
【００２４】
上述した書込み選択方法及び消去選択方法に関連する技術は、特許文献１（特開２００３−２１６０９６号公報）及び特許文献２（特開２００３−２０８１２２号公報）に記載され、上述した消去選択方法に関連する技術は、特許文献３（特開２００１−２２２２５２号公報）に記載されている。
【特許文献１】特開２００３−２１６０９６号公報
【特許文献２】特開２００３−２０８１２２号公報
【特許文献３】特開２００１−２２２２５２号公報
【発明の開示】
【発明が解決しようとする課題】
【００２５】
上述したように、従来のプラズマディスプレイパネルのサブフィールド法による駆動において、書込み選択方法又は消去選択方法のいずれか一方が、その駆動の初期で固定的に設定されている。
そして、いずれのサブフィールドにおいても、一旦設定されたアドレス方法でプラズマディスプレイパネル１００のすべての表示セルがアドレスされている。
【００２６】
このような固定的なアドレス方法によれば、次のような問題が生ずる。
例えば、書込み選択方法を初期的に設定した状態において、プラズマディスプレイパネル１００の全表示セルが発光対象となる画素を有するフィールドがＰＤＰ装置に入力されると、プラズマディスプレイパネル１００の全表示セルでアドレス放電が発生する。
そのアドレス放電においては、周知のように、データドライバ１１４に変位電流及び放電電流が流れる。その変位電流は、放電電流よりも大きい。
これらの電流がデータドライバ１１４に流れることは、ＰＤＰ装置での消費電力の増大を招来する。
このような問題は、消去選択アドレス方法においても、同様である。
【００２７】
この発明は、上述の事情に鑑みてなされたもので、プラズマディスプレイパネルのデータドライバ及び又は共通ドライバでの消費電力の低減、その消費電力の見積もり等を実現し得るプラズマディスプレイパネルの駆動方法及びその装置並びにプラズマ表示装置を提供することを目的としている。
【課題を解決するための手段】
【００２８】
上記課題を解決するために、請求項１記載の発明は、プラズマディスプレイパネルの駆動方法に係り、フィールド又は該フィールドの一部の映像画素信号に基づいて該映像画素信号に対応するプラズマディスプレイパネルの点灯表示セル又は非点灯表示セルの数を計数し、該計数の結果に基づいて書込み選択式アドレス駆動モード又は消去選択式アドレス駆動モードのうちのいずれか一方を選択することを特徴としている。
フィールドの一部は、当該フィールド内の複数の走査ラインである。点灯表示セル又は非点灯表示セルの数の計数は、フィールドの映像画素信号の各々を、フィールド毎に、プラズマディスプレイパネルの表示セル対応に当該表示セルの発光又は非発光を指示する論理信号に変換し、該論理信号を計数して行う。また、フィールドは、映像信号のフィールドをサブフィールドに変換したフィールドの各々としてもよい。
【００２９】
請求項２記載の発明は、請求項１記載のプラズマディスプレイパネルの駆動方法に係り、上記点灯表示セルの数が所定数を超えているとき、上記消去選択式アドレス駆動モードを選択することを特徴としている。
【００３０】
請求項３記載の発明は、請求項１記載のプラズマディスプレイパネルの駆動方法に係り、上記点灯表示セルの数が所定数未満のとき、上記書込み選択式アドレス駆動モードを選択することを特徴としている。
【００３１】
請求項４記載の発明は、請求項１記載のプラズマディスプレイパネルの駆動方法に係り、上記非点灯表示セルの数が所定数を超えているとき、上記書込み選択式アドレス駆動モードを選択することを特徴としている。
【００３２】
請求項５記載の発明は、請求項１記載のプラズマディスプレイパネルの駆動方法に係り、上記非点灯表示セルの数が所定数未満のとき、上記消去選択式アドレス駆動モードを選択することを特徴としている。
【００３３】
請求項６記載の発明は、プラズマディスプレイパネルの駆動方法に係り、複数の映像画素信号を含むフィールド内の連続する第１の走査ライン及び第２の走査ライン毎に上記映像画素信号を表示画像信号に変換し、変換された上記表示画素信号間の変位数を計数し、該計数の結果に基づいて書込み選択式アドレス駆動モード又は消去選択式アドレス駆動モードを選択することを特徴としている。
【００３４】
請求項７記載の発明は、請求項６記載のプラズマディスプレイパネルの駆動方法に係り、上記変位数が所定数を超えているとき、上記第１の走査ラインに対応する表示セル行に対して選択されていたアドレス駆動モードとは異なるアドレス駆動モードを、上記第２の走査ラインに対応する表示セル行に対して選択することを特徴としている。
【００３５】
請求項８記載の発明は、プラズマディスプレイパネルの駆動方法に係り、映像信号の映像画素信号を表示画素信号に変換し、変換される前記表示画素信号又は前記表示画素信号間の変位数を計数すると共に、書込み選択式アドレス駆動モードと消去選択式アドレス駆動モードとの間の変更回数を計数し、該計数の結果に基づいて前記アドレス駆動モードを選択することを特徴としている。
【００３６】
請求項９記載の発明は、請求項８記載のプラズマディスプレイパネルの駆動方法に係り、上記表示画素信号の計数は、上記データドライバに放電電流を流させる上記表示画素信号の数の計数であることを特徴としている。
【００３７】
請求項１０記載の発明は、請求項８記載のプラズマディスプレイパネルの駆動方法に係り、上記表示画素信号間の変位数の計数は、上記データドライバに変位電流を流させる上記表示画素信号の数の計数であることを特徴としている。
【００３８】
請求項１１記載の発明は、請求項８記載のプラズマディスプレイパネルの駆動方法に係り、上記データドライバに放電電流又は変位電流を流させる上記表示画素信号の数を計数し、かつ、上記共通ドライバに変位電流を流させる上記アドレス駆動モード間の変更回数を計数して上記アドレス駆動モードを選択することを特徴としている。
【００３９】
請求項１２記載の発明は、プラズマディスプレイパネルの駆動装置に係り、映像信号の映像画素信号をフィールド毎に表示画素信号に変換する変換回路と、プラズマディスプレイパネルと、上記表示画素信号により点灯指示される上記プラズマディスプレイパネル内の表示セル全部又は一部の点灯表示セル又は非点灯表示セルの数を計数し、該計数の結果に基づいて書込み選択式アドレス駆動モード又は消去選択式アドレス駆動モードを選択するサブフィールド演算回路と、該サブフィールド演算回路が選択したアドレス駆動モードにより上記プラズマディスプレイパネルを駆動する駆動制御回路とを具備することを特徴としている。
【００４０】
請求項１３記載の発明は、請求項１２記載のプラズマディスプレイパネルの駆動装置に係り、上記サブフィールド演算回路は、上記点灯表示セル数が所定数を超えているとき、上記消去選択式アドレス駆動モードを選択することを特徴としている。
【００４１】
請求項１４記載の発明は、請求項１２記載のプラズマディスプレイパネルの駆動装置に係り、上記サブフィールド演算回路は、上記点灯表示セル数が所定数未満のとき、上記書込み選択式アドレス駆動モードを選択することを特徴としている。
【００４２】
請求項１５記載の発明は、請求項１２載のプラズマディスプレイパネルの駆動装置に係り、上記サブフィールド演算回路は、上記非点灯表示セル数が所定数を超えているとき、上記書込み選択式アドレス駆動モードを選択することを特徴としている。
【００４３】
請求項１６記載の発明は、請求項１２載のプラズマディスプレイパネルの駆動装置に係り、上記サブフィールド演算回路は、上記非点灯表示セル数が所定数未満のとき、上記消去選択式アドレス駆動モードを選択することを特徴としている。
【００４４】
請求項１７記載の発明は、プラズマディスプレイパネルの駆動装置に係り、映像信号の映像画素信号をフィールド毎に表示画像信号に変換する変換回路と、  プラズマディスプレイパネルと、上記フィールドにおいて連続する第１の走査ライン及び第２の走査ライン毎に上記表示画素信号間の変位数を計数し、該計数の結果に基づいて書込み選択式アドレス駆動モード又は消去選択式アドレス駆動モードを選択するサブフィールド演算回路と、該サブフィールド演算回路が選択したアドレス駆動モードにより上記プラズマディスプレイパネルを駆動する駆動制御回路とを具備することを特徴としている。
【００４５】
請求項１８記載の発明は、請求項１７記載のプラズマディスプレイパネルの駆動装置に係り、上記サブフィールド演算回路は、前記変位数が所定数を超えているとき、前記第１の走査ラインに対応する前記プラズマディスプレイパネルの表示セル行に対して選択されていた前記アドレス駆動モードとは異なる上記アドレス駆動モードを、上記第２の走査ラインに対応する上記表示セル行に対して選択することを特徴としている。
【００４６】
請求項１９記載の発明は、プラズマディスプレイパネルの駆動装置に係り、映像信号の映像画素信号を表示画像信号に変換する変換回路と、プラズマディスプレイパネルと、前記変換回路により変換される前記表示画素信号又は前記表示画素信号間の変位数を計数すると共に、書込み選択式アドレス駆動モードと消去選択式アドレス駆動モードとの間の変更回数を計数し、該計数の結果に基づいて前記アドレス駆動モードを選択するサブフィールド演算回路と、該サブフィールド演算回路により選択された前記アドレス駆動モードで前記プラズマディスプレイパネルを駆動する駆動制御回路とを具備することを特徴している。
【００４７】
請求項２０記載の発明は、請求項１９記載のプラズマディスプレイパネルの駆動装置に係り、上記サブフィールド演算回路における上記表示画素信号の計数は、上記プラズマディスプレイパネルのデータドライバに放電電流を流させる上記表示画素信号の数の計数であることを特徴としている。
【００４８】
請求項２１記載の発明は、請求項１９記載のプラズマディスプレイパネルの駆動装置に係り、上記サブフィールド演算回路における上記表示画素信号間の変位数の計数は、上記プラズマディスプレイパネルのデータドライバに変位電流を流させる上記表示画素信号の数の計数であることを特徴としている。
【００４９】
請求項２２記載の発明は、請求項１９記載のプラズマディスプレイパネルの駆動装置に係り、上記サブフィールド演算回路は、上記プラズマディスプレイパネルのデータドライバに放電電流又は変位電流を流させる上記表示画素信号の個数を計数し、かつ、上記プラズマディスプレイパネルの共通ドライバに変位電流を流させる上記アドレス駆動モード間の変更回数を計数して上記アドレス駆動モードを選択することを特徴としている。
【００５０】
請求項２３記載の発明は、請求項１９、２０、２１又は２２記載のプラズマディスプレイパネルの駆動装置に係り、前記プラズマディスプレイパネルの共通ドライバは、前記プラズマディスプレイパネルの共通電極を個別に駆動することを特徴としている。
【００５１】
請求項２4記載の発明は、プラズマ表示装置に係り、入力された映像信号を受信する入力部と、請求項１２乃至２２のうちのいずか一に記載のプラズマディスプレイパネルの駆動装置と、上記入力部で受信した映像信号を上記駆動装置で必要なデジタル信号に変えて該デジタル信号を上記駆動装置に供給するインタフェース装置とを具備することを特徴としている。
【発明の効果】
【００５２】
プラズマディスプレイパネルの走査電極及び又は共通電極を駆動する電圧の変化を低減させる構成にしたので、走査ドライバ及び又は共通ドライバでの消費電力の低減等を図ることができる。プラズマ表示装置内の上記効果を奏し得る構成要素をモジュール化することにより、プラズマ表示装置の補修の簡素化及びその短縮化も達成することができる。
【発明を実施するための最良の形態】
【００５３】
プラズマディスプレイパネルの走査電極及び又は共通電極を駆動する走査ドライバ及び又は共通ドライバの駆動を、画面の発光率等に基づいて選択される書込み選択方法又は消去選択方法のいずれかで行う構成を採用することにより実現できる。
【実施例１】
【００５４】
図１は、この発明の実施例１であるプラズマディスプレイパネルの駆動装置の電気的構成を示す図、図２は、同駆動装置の発光セルが非発光セルより多い場合の駆動状況を示す図、また、図３は、同駆動装置の発光セルが非発光セルより少ない場合の駆動状況を示す図である。
この実施例のプラズマディスプレイパネルの駆動装置１０は、プラズマディスプレイパネルの駆動におけるデータドライバでの消費電力を低減できる装置に係り、図１に示すように、サブフィールド変換回路１２と、サブフィールド演算回路１３と、データドライバ１４と、駆動信号制御回路１５と、走査ドライバ１６と、共通ドライバ１８とから構成されている。
【００５５】
サブフィールド変換回路１２は、入力される１フィールドの映像信号を所定数、例えば、８つのサブフィールドに変換してサブフィールド毎に、そのサブフィールド内の各画素についての映像データ信号（当該画素についての点灯（以下、発光ともいう）又は非点灯（以下、非発光ともいう）を指定する論理値、例えば、２進の１又は０）を非反転形式又は反転形式でデータドライバ１４に出力する回路である。
映像データ信号を非反転形式又は反転形式のいずれで出力するかは、サブフィールド演算回路２２から供給されるアドレス駆動モード指定信号（書込み選択式アドレス駆動モード又は消去選択式アドレス駆動モードのいずれか一方を指定する信号）、すなわち、書込み選択指定信号又は消去選択指定信号のいずれか一方（後述する）によって決まる。例えば、書込み選択指定信号である場合には、非反転形式の映像データ信号を、また、消去選択指定信号である場合には、反転形式の映像データ信号を出力する。
【００５６】
サブフィールド演算回路１３は、サブフィールド変換回路１２で変換されたサブフィールド毎に、その中の発光対象となる画素信号の数を求め、その画素信号の数と全画素信号数との割合である発光率を算定し、発光率（点灯率）が、例えば、５０％以下であるときには書込み選択指定信号を、また、発光率が、例えば、５０％を超えているときには消去選択指定信号を出力する回路である。
【００５７】
駆動信号制御回路１５は、サブフィールド演算回路１３から供給される書込み選択指定信号又は消去選択指定信号に応じて、〔背景技術〕の項で説明した書込み選択用の走査ドライバ制御信号を走査ドライバ１６に供給し、かつ、書込み選択用の共通ドライバ制御信号を共通ドライバ１８に供給するか、又は消去選択用の走査ドライバ制御信号を走査ドライバ１６に供給し、かつ、消去選択用の共通ドライバ制御信号を共通ドライバ１８に供給する回路である。
【００５８】
走査ドライバ１６は、駆動信号制御回路１５から供給される書込み選択用の走査ドライバ制御信号又は消去選択用の走査ドライバ制御信号に応じて〔背景技術〕の項で説明した駆動態様で各走査電極１０２ｉを駆動する。
同様に、共通ドライバ１８は、駆動信号制御回路１５から供給される書込み選択用の共通ドライバ制御信号又は消去選択用の共通ドライバ制御信号に応じて〔背景技術〕の項で説明した駆動態様で各共通電極１０４ｉを駆動する。
また、データドライバ１４は、サブフィールド変換回路１２から供給される非反転形式の映像データ信号又は反転形式の映像データ信号に応じたデータパルスを各データ電極１０６ｉに供給する。
【００５９】
次に、図１乃至図３を参照して、この実施例の動作について説明する。
１フィールドの映像信号がサブフィールド変換回路１２に入力されると、その１フィールドの映像信号は、所定数のサブフィールドの映像データ信号に変換される。そのサブフィールド毎の映像データ信号が、サブフィールド演算回路１３に供給される。
サブフィールド演算回路１３は、供給された映像データ信号に基づいてフィールド内の発光対象となる画素信号の数を求め、その画素信号の数と全画素信号数との割合である発光率を算定する。
発光率が、例えば、５０％以下であるときには書込み選択指定信号が、また、発光率が、例えば、５０％を超えているときには消去選択指定信号がサブフィールド演算回路１３から出力される。
書込み選択指定信号は、例えば、論理値“１”として出力され、消去選択指定信号は、例えば、論理値“０”として出力される。
【００６０】
先ず、サブフィールド演算回路１３で算定された発光率が５０％以下で、書込み選択指定信号がサブフィールド演算回路１３から出力される場合について説明する。
サブフィールド演算回路１３から出力された書込み選択指定信号は、サブフィールド変換回路１２及び駆動信号制御回路１５へ供給される。
サブフィールド変換回路１３は、書込み選択指定信号に応答して各サブフィールドの映像データ信号を非反転形式でデータドライバ１４へ出力する。また、駆動信号制御回路１５は、書込み選択用の走査ドライバ制御信号を走査ドライバ１６へ出力すると共に、書込み選択用の共通ドライバ制御信号を共通ドライバ１８へ出力する。
【００６１】
書込み選択用の走査ドライバ制御信号を受信した走査ドライバ１６は、〔背景技術〕の項での説明と同様に、すべての走査電極１０２ｉ（図１５）に一斉に予備放電パルス、そして予備放電消去パルスを印加する（図１７の（２−ｉ））と同時に、共通ドライバ１８は、すべての共通電極１０４ｉ（図１５）に一斉に予備放電パルスを印加する（図１７の（１））。
これらのパルスの印加により、プラズマディスプレイパネル１００のすべての表示セル１０８ｉｊ（図１５）は、非発光状態に置かれる。
【００６２】
そして、サブフィールド変換回路１２で変換された各サブフィールド内の映像データ信号（上記フィールドの画素データ信号対応の信号）の各々が、サブフィールド毎のアドレス期間内に、線順次で、データドライバ１４へ供給される。
そのデータドライバ１４は、各映像データ信号対応のデータパルスを対応するデータ電極１０６ｊ（図１５）に順次印加して行く（図１７の（３））。
【００６３】
上述のように、走査ドライバ１６が、線順次で、走査パルスを各走査電極１０２ｉに順次印加するのと同期して、データドライバ１４が、走査パルスの印加期間中に、走査ライン内の対応する各データパルスを各データ電極１０６ｊに順次印加して行くので、走査パルスが印加され、かつ、データパルスが印加された表示セル１０８ｉｊは発光される。
【００６４】
そして、動作が維持期間に進むと、走査ドライバ１６がすべての走査電極１０２ｉに、また、共通ドライバ１８がすべての維持電極１０４ｉにサブフィールド毎に、上記放電回数信号で決まる回数であって、かつ、逆極性の維持パルスを交互に印加して当該サブフィールドの維持期間において上記回数だけの発光を繰り返す。
そして、その維持期間において、走査ドライバ１６が、維持消去パルスをすべての走査電極１０２ｉに一斉に印加して継続されている発光を消光（消灯）させる。
【００６５】
上述のように、書込み選択方法（１つのアドレス方法）が選択される場合には、具体的に後述するように、アドレス期間においてデータドライバ１４からデータ電極１０４ｉに流れる放電電流の回数が消去選択方法（もう１つのアドレス方法）が選択される場合に比して低減される。なお、データドライバ１４からデータ電極１０４ｉに流れる変位電流の回数にアドレス方法による差異はない。
【００６６】
次に、サブフィールド演算回路１３で算定された発光率が５０％を超え、消去選択指定信号がサブフィールド演算回路１３から出力される場合について説明する。
サブフィールド演算回路１３から出力された消去選択指定信号は、サブフィールド変換回路１２及び駆動信号制御回路１５へ供給される。
サブフィールド変換回路１３は、消去選択指定信号に応答して各サブフィールドの映像データ信号を反転形式でデータドライバ１４へ出力する。また、駆動信号制御回路１５は、消去選択用の走査ドライバ制御信号を走査ドライバ１６へ出力すると共に、消去選択用の共通ドライバ制御信号を共通ドライバ１８へ出力する。
【００６７】
消去選択用の走査ドライバ制御信号を受信した走査ドライバ１６は、〔背景技術〕の項で説明した同様に、すべての走査電極１０２ｉに一斉に予備放電パルスを印加する（図１９の（２−ｉ））と同時に、共通ドライバ１８は、すべての共通電極１０４ｉに一斉に予備放電パルスを印加する（図１９の（１））。
これらのパルスの印加により、プラズマディスプレイパネル１００のすべての表示セル１０８ｉｊは、発光状態に置かれる。
【００６８】
そして、サブフィールド変換回路１２で変換された各サブフィールド内の反転形式の映像データ信号（上記フィールドの画素データ信号対応の映像データ信号を反転した信号）の各々が、サブフィールド毎のアドレス期間内に、線順次で、データドライバ１４へ供給される。
そのデータドライバ１４は、反転形式の各映像データ信号対応のデータパルスを対応するデータ電極１０６ｊに順次印加して行く（図１９の（３））。
【００６９】
上述のように、走査ドライバ１６が、線順次で、走査パルスを各走査電極１０２ｉに順次印加するのと同期して、データドライバ１４が、走査パルスの印加期間中に、走査ライン内の対応する反転形式の各データパルスを各データ電極１０６ｊに順次印加して行くので、走査パルスが印加され、かつ、反転形式のデータパルスが印加された表示セル１０８ｉｊは消光（消灯）される。
しかし、反転形式のデータパルスが印加されない表示セル１０８ｏｐ（画素信号対応の表示セル）は、発光されたままにある。
【００７０】
そして、動作が維持期間に進むと、走査ドライバ１６がすべての走査電極１０２ｉに、また、共通ドライバ１８がすべての維持電極１０４ｉにサブフィールド毎に、上記放電回数信号で決まる回数であって、かつ、逆極性の維持パルスを交互に印加して当該サブフィールドの維持期間において表示セル１０８ｏｐの発光を上記回数だけ繰り返す。
そして、その維持期間において、走査ドライバ１６が、維持消去パルスをすべての走査電極１０２ｉに一斉に印加して継続されている発光を消光させる。
【００７１】
上述のように、消去選択方法が選択される場合には、具体的に後述するように、アドレス期間においてデータドライバ１４からデータ電極１０４ｉに流れる放電電流の回数が書込み選択方法が選択される場合に比して低減される。なお、この場合にも、データドライバ１４からデータ電極１０４ｉに流れる変位電流の回数にアドレス方法による差異はない。
【００７２】
上述したアドレス方法の選択による効果について具体的に説明する。
図２に示すように、サブフィールド内の発光されるべき表示セルが多い場合に、そのサブフィールドのアドレス方法を書込み選択方法にすると、放電電流がデータドライバ１４に流れる回数が多くなるのに対して（図２の（２−１）、（２−２））、同一の表示セル数の条件において、消去選択方法を選択したときには、図２の（２―３）、（２−４）に示すように、放電電流がデータドライバ１４に流れる回数は少なくなる。
【００７３】
また、図３に示すように、サブフィールド内の発光されるべき表示セルが少ない場合に、そのサブフィールドのアドレス方法を消去選択方法にすると、放電電流がデータドライバ１４に流れる回数が多くなるのに対して（図３の（３―３）、（３−４））、同一の表示セル数の条件において、書込み選択方法を選択したときには、図３の（３−１）、（３−２）に示すように、放電電流がデータドライバ１４に流れる回数は少なくなる。
したがって、変位電流がデータドライバ１４に流れる回数には変わりはないが、放電電流がデータドライバから流れる回数が減るから、データドライバでの消費電力の低減となる。
【００７４】
このように、この実施例の構成によれば、映像信号の各フィールドが所定数のサブフィールドに変換され、そのサブフィールド内の発光率に応じてプラズマディスプレイパネルのアドレス方法が選択されるから、アドレス期間において選択すべき表示セル数の低減、すなわち、表示セルでの放電回数の低減を図り、表示セルの放電を生じさせるデータドライバの消費電力を低減させることができる。
【実施例２】
【００７５】
図４は、この発明の実施例２であるプラズマディスプレイパネルの駆動装置の電気的構成を示す図、図５は、同駆動装置におけるアドレス方法の選択フローチャート、図６は、同駆動装置におけるアドレス方法の選択例を図解する図、図７は、同駆動装置において選択されるアドレス方法で駆動される場合の駆動波形図である。
【００７６】
この実施例の構成が、実施例１のそれと大きく異なる点は、映像信号の１フィールドを所定数のサブフィールドに変換し、そのサブフィールドの走査ライン（該走査ライン対応で表示セル行ともいう）毎に、直前走査ラインの各画素信号について発光又は非発光を指定する論理信号の論理値（以下、画素信号について発光又は非発光を指定する論理信号の論理値を画素の論理値という）と直続走査ラインの対応する画素の論理値との間の第１の不一致数（変位数ともいう）と直前走査ラインの各画素の論理値と直続走査ラインの対応する画素の論理値を反転した反転論理値（以下、画素の反転論理値という）との間の第２の不一致数（変位数ともいう）とを求め、第１の不一致数と第２の不一致数との大小関係に応じて直続走査ラインのアドレス方法を決定するようにした点である。
【００７７】
なお、直前走査ラインとは、プラズマディスプレイパネル１００の駆動直前の表示セル行（直前表示セル行）対応の走査ラインをいい、直続走査ラインとは、直前走査ラインに直続する走査ライン（直前表示セル行に直続する表示セル行（直続表示セル行）対応の走査ライン）をいう。また、直前走査ライン（第１の走査ライン）及び直続走査ライン（第２の走査ライン）は、映像信号のフィールド（変換されたサブフィールド）内の走査ラインの対を成している。
【００７８】
すなわち、この実施例の駆動装置１０Ａは、サブフィールド変換回路で変換されたサブフィールド毎に、そのサブフィールド（画面）内の走査ラインの対毎に、直前走査ラインの各画素の論理値と直続走査ラインの対応する画素の論理値との間の第１の不一致数Ａ［Ｎ］（式（１）で算定する値）と直前走査ラインの各画素の論理値と直続走査ラインの対応する画素の反転論理値との間の第２の不一致数Ｂ［Ｎ］（式（２）で算定する値）とを求め、第１の不一致数Ａ［Ｎ］が少ないとき直前表示セル行のアドレス方法と同一のアドレス方法を直続表示セル行に対し選択し、第２の不一致数Ｂ［Ｎ］が少ないとき直前表示セル行のアドレス方法と異なるアドレス方法を直続表示セル行に対し選択するサブフィールド演算回路１３Ａを設け、サブフィールド演算回路１３Ａから出力されるアドレス方法指定信号、すなわち、書込み選択指定信号又は消去選択指定信号のいずれか一方をサブフィールド変換回路１２及び駆動信号制御回路１５へ供給するようにして構成される。
Ａ［Ｎ］＝Ｄ［Ｎ−１］＆Ｄ［Ｎ］    ……（１）
但し、Ａ［Ｎ］は不一致数、Ｄ［Ｎ−１］は直前走査ラインの各画素の論理値、＆は排他的論理和、Ｄ［Ｎ］は直続走査ラインの各画素の論理値である。
Ｂ［Ｎ］＝Ｄ［Ｎ−１］＆〜Ｄ［Ｎ］    ……（２）
但し、Ｂ［Ｎ］は不一致数、Ｄ［Ｎ−１］は直前走査ラインの各画素の論理値、＆は排他的論理和、〜Ｄ［Ｎ］は直続走査ラインの各画素の反転論理値である。
【００７９】
サブフィールド演算回路１３Ａは、サブフィールド変換回路１２で変換されたサブフィールド毎に、当該サブフィールドの最初の走査ラインについては書込み選択指定信号又は消去選択指定信号のいずれか一方、すなわち、初期アドレス方法を指定するアドレス方法指定信号に設定してそのアドレス方法指定信号をサブフィールド変換回路１２及び駆動信号制御回路１５へ供給する。
上記初期アドレス方法は、具体的には、例えば、そのサブフィールドにおいてデータドライバ１４に流れる放電電流を小さくさせるように選択される。
【００８０】
また、サブフィールド演算回路１３Ａは、２番目の走査ラインから直前走査ラインの画素の論理値と直続走査ラインの対応画素の論理値との間の不一致数Ａ［Ｎ］を算定すると共に、直前走査ラインの画素の論理値と直続走査ラインの対応する画素の反転論理値との間の不一致数Ｂ［Ｎ］を算定し、不一致数Ａ［Ｎ］が少ないとき直前表示セル行のアドレス方法指定信号を出力し、不一致数Ｂ［Ｎ］が少ないとき直前表示セル行のアドレス方法指定信号とは異なるアドレス方法を指定するアドレス方法指定信号を出力するように構成されている。
この構成以外のこの実施例の構成は、実施例１と同じであるので、同一の構成部分には同一の参照符号を付して、その逐一の説明は省略する。
【００８１】
次に、図４乃至図７を参照して、この実施例の動作について説明する。
この実施例におけるプラズマディスプレイパネル１００の駆動は、以下に述べる点を除き、実施例１の場合と同じである。以下においては、その相違点を主として述べる。
１フィールド毎に映像信号がサブフィールド変換回路１２に入力されると、その１フィールドの映像信号は、所定数のサブフィールドの映像データ信号に変換され、そのサブフィールド毎の映像データ信号が、サブフィールド演算回路１３Ａに供給されることは実施例１と同じである。
【００８２】
サブフィールド演算回路１３Ａは、サブフィールド変換回路１２で変換されたサブフィールド毎に、サブフィールドの最初の走査ライン対応の表示セル行については書込み選択方法又は消去選択方法のいずれか一方、例えば、書込み選択方法を設定して（図５のＳ１）その方法指定信号をサブフィールド変換回路１２及び駆動信号制御回路１５へ供給する。
【００８３】
サブフィールド変換回路１２は、書込み選択指定信号を受け取ると、サブフィールドの最初の走査ラインの映像データ信号を非反転形式でデータドライバ１４に供給する一方、駆動信号制御回路１５は、書込み選択用の走査ドライバ制御信号を走査ドライバ１６に供給すると共に、書込み選択用の共通ドライバ制御信号を共通ドライバ１８に供給する。
したがって、上記最初の表示セル行の各表示セルは、そのサブフィールドのリセット期間で消光され、アドレス期間において発光対象の表示セルの各々が発光され、そしてその発光状態は維持期間の間持続され、そして消光される。
【００８４】
２番目以降の走査ラインに対応する表示セル行の同様の駆動に入るのに先立って、最後の走査ラインに対応する表示セル行の駆動が完了しているか否かを判定する（図５のＳ２）。その判定が肯定であるならば（図５のＳ２のＹ）、そのフィールドの処理を終了する。上記が否定であるならば（図５のＳ２のＮ）、２番目以降の走査ラインの同様の処理に入る。
【００８５】
２番目以降の走査ラインの処理において、サブフィールド演算回路１３Ａが、最初の走査ラインの各画素の論理値と２番目の走査ラインの対応画素の論理値が同一である否かを見て、例えば、排他的論理和を取って不一致数Ａ［Ｎ］を算定する（図５のＳ３）と共に、最初の走査ラインの画素の論理値と２番目の走査ライン（駆動行）の対応する画素の反転論理値とが同一である否かを見て、例えば、排他的論理和を取って不一致数Ｂ［Ｎ］を算定する（図５のＳ４）。
【００８６】
そして、サブフィールド演算回路１３Ａは、算定された不一致数Ａ［Ｎ］が少ないとき直前表示セル行（この場合は最初の表示セル行）のアドレス方法指定信号、例えば、書込み選択指定信号を出力し（図５のＳ５、Ｓ６）、不一致数Ｂ［Ｎ］が少ないとき直前表示セル行と異なるアドレス方法指定信号である消去選択指定信号を出力し（図５のＳ５、Ｓ７）、出力されたアドレス方法指定信号をサブフィールド変換回路１２及び駆動信号制御回路１５に供給する。
【００８７】
例えば、図６は、プラズマディスプレイパネル１００の一部を示すが、そこにおいて発光すべき表示セルが走査電極とデータ電極との交点に○で示され、非発光の表示セルは走査電極とデータ電極との交差に○なしで示される例において、走査電極１０２１（最初の表示セル行）対応の走査ラインの各画素の論理値と直続表示セル行対応の走査ラインの対応する画素の論理値との排他的論理和（図６のＡ）が“１”となる数、すなわち、上述の不一致数は３となり、走査電極１０２１（最初の表示セル行）対応の走査ラインの各画素の論理値と直続表示セル行対応の走査ラインの対応する画素の反転論理値との排他的論理和（図６のＢ）が“１”となる数、すなわち、上述の不一致数は２となる。
したがって、走査電極１０２２（２番目の表示セル行）に対しては、書込み選択指定信号がサブフィールド演算回路１３Ａから出力される。
【００８８】
２番目の表示セル行について、サブフィールド演算回路１３Ａから書き込み選択指定信号が出力されたときのサブフィールド変換回路１２及び駆動信号制御回路１５の動作は、最初の表示セル行について説明したところと同じである。
したがって、上記２番目の表示セル行の各表示セルは、最初の表示セル行と同様、そのサブフィールドのリセット期間で消光され、アドレス期間において発光対象の表示セルの各々が発光され、そしてその発光状態は維持期間の間持続され、そして消光される。
【００８９】
上記とは逆に、２番目の表示セル行について、サブフィールド演算回路１３Ａから消去選択指定信号が出力されたときは、書込み選択指定信号の場合と異なって、サブフィールド変換回路１２は、サブフィールドの２番目の走査ラインの映像データ信号を反転形式でデータドライバ１４に供給する一方、駆動信号制御回路１５は、消去選択用の走査ドライバ制御信号を走査ドライバ１６に供給すると共に、消去選択用の共通ドライバ制御信号を共通ドライバ１８に供給する。
したがって、上記２番目の表示セル行の各表示セルは、そのサブフィールドのリセット期間で予備放電消去パルスが走査電極１０２２に印加れず（図７の（２−２））発光されたままとされ、アドレス期間において発光対象の表示セルの各々が発光されたままにして置く一方、発光対象以外の各表示セルは消光される。そして、発光されている表示セルの発光状態は維持期間の間持続され、そして消光（消灯）される。
【００９０】
３番目以降のいずれの表示セル行についても、直前走査ラインと直続走査ライン（駆動行）との間で、上述した演算を行い、その演算結果に応じたアドレス方法指定信号が、サブフィールド演算回路１３Ａから出力されて直続表示セル行について上述したと同様の駆動が行われる。
【００９１】
このように、この実施例の構成によれば、直前走査ラインの各画素の論理値と直続走査ラインの対応する画素の論理値との不一致数と、直前走査ラインの各画素の論理値と直続走査ラインの対応する画素の反転論理値との不一致数とに応じて直続表示セル行のアドレス方法を直前表示セル行のアドレス方法と同一にするか、異なるアドレス方法にするかを決めているので、アドレス期間においてデータドライバからデータ電極に流れる放電電流の回数は同じであるが、直前表示セル行でデータドライバからデータ電極に流れていた電流を直続表示セル行でも継続して流させる電流の数を増加させる、すなわち、変位電流がデータ電極に流れる回数を減少させることができ、データドライバの消費電力を低減することができる。
【実施例３】
【００９２】
図８は、この発明の実施例３であるプラズマディスプレイパネルの駆動装置の電気的構成を示す図、図９は、同駆動装置において選択されるアドレス方法で駆動される場合の駆動波形図である。
この実施例の構成が、実施例2のそれと大きく異なる点は、データドライバにおける消費電力を低減しようとしてアドレス方法（アドレス駆動モード）を変えたときに増加する共通ドライバでの消費電力を考慮してアドレス方法を選択するようにした点である。
【００９３】
アドレス方法の変更により、共通ドライバでの消費電力が増加するのは、アドレス方法の変更は、共通ドライバから共通電極に印加しなければならない電圧を変更する必要があり、この変更に伴って共通ドライバから共通電極に変位電流が流れることによる。
したがって、共通ドライバでの消費電力の増加は、アドレス方法の変更回数の関数となる。
【００９４】
すなわち、この実施例の駆動装置１０Ｂのサブフィールド演算回路１３Ｂは、サブフィールド変換回路１２で変換されたサブフィールド毎に、直前走査ラインの各画素の論理値と直続走査ラインの対応する画素の論理値との間の不一致数を算定する。そして、サブフィールド演算回路１３Ｂは、不一致数を算定せしめた直前走査ライン対応の表示セル行に対して選択していたアドレス方法と異なるアドレス方法を直続走査ライン対応の表示セル行に対して選択したときにデータドライバでの消費電力の低減とはなるが、その低減量が共通ドライバでの表示セル行当たりの消費電力の増加量より多いならば直前走査ライン対応の表示セル行に対して選択していたアドレス方法と異なるアドレス方法を直続走査ライン対応の表示セル行に選択してそのアドレス方法指定信号をサブフィールド変換回路１２及び駆動信号制御回路１５に出力する。
【００９５】
しかし、データドライバでの消費電力の低減量が共通ドライバでの表示セル行当たりの消費電力の増加量より少ないならば、サブフィールド演算回路１３Ｂは、直続走査ライン対応の表示セル行に対して直前走査ライン対応の表示セル行に対して選択していたアドレス方法を選択してそのアドレス方法指定信号をサブフィールド変換回路１２及び駆動信号制御回路１５に出力する。
【００９６】
なお、サブフィールド演算回路１３Ｂは、サブフィールド変換回路１２で変換されたサブフィールド毎に、当該サブフィールドの最初の走査ライン対応の表示セル行に対しては書込み選択指定信号又は消去選択指定信号のいずれか一方に初期的に設定してそのアドレス方法指定信号をサブフィールド変換回路１２及び駆動信号制御回路１５へ供給する。
この実施例においても、実施例１及び実施例２と同様、上記初期アドレス方法は、具体的には、例えば、そのサブフィールドにおいてデータドライバ１４に流れる放電電流を小さくさせるように選択される。
この構成以外のこの実施例の構成は、実施例２と同じであるので、同一の構成部分には同一の参照符号を付して、その逐一の説明は省略する。
【００９７】
次に、図８及び図９を参照して、この実施例の動作について説明する。
この実施例におけるプラズマディスプレイパネル１００の駆動は、以下に述べる点を除き、実施例２の場合と同じである。以下においては、その相違点を主として述べる。
１フィールド毎に映像信号がサブフィールド変換回路１２に入力されると、その１フィールドの映像信号は、所定数のサブフィールドの映像データ信号に変換され、そのサブフィールド毎の映像データ信号の画素の論理値が、サブフィールド演算回路１３Ｂに供給されることは実施例２と同じである。
【００９８】
サブフィールド演算回路１３Ｂは、サブフィールド毎に、すべての走査ラインについて、直前走査ラインの各画素の論理値と直続走査ラインの対応画素の論理値との不一致数（変位数）を算定する。
そして、サブフィールド演算回路１３Ｂは、上記不一致数を算定せしめた直前走査ライン対応の表示セル行に対して選択していたアドレス方法と異なるアドレス方法を直続走査ライン対応の表示セル行に対して選択したときにデータドライバでの消費電力の低減とはなるが、その低減量が共通ドライバでの表示セル行当たりの消費電力の増加量より多いならば直前走査ライン対応の表示セル行に対して選択していたアドレス方法と異なるアドレス方法を直続走査ライン対応の表示セル行に選択してそのアドレス方法指定信号をサブフィールド変換回路１２及び駆動信号制御回路１５に供給する。
【００９９】
逆に、低減量が共通ドライバでの表示セル行当たりの消費電力の増加量より少ないならば、サブフィールド演算回路１３Ｂは、直前走査ライン対応の表示セル行に対して選択していたアドレス方法を直続走査ライン対応の表示セル行に選択してそのアドレス方法指定信号をサブフィールド変換回路１２及び駆動信号制御回路１５に供給する。
いずれの場合にも、例えば、上述のＡ［Ｎ］に実施例２で説明したＢ［Ｎ］を考慮に入れて上記低減量の算定をしてもよい。
【０１００】
なお、サブフィールド演算回路１３Ｂは、サブフィールド変換回路１２で変換されたサブフィールド毎に、当該サブフィールドの最初の走査ライン対応の表示セル行のアドレス方法指定信号としては書込み選択指定信号又は消去選択指定信号のいずれか一方に初期的に設定する。
そのアドレス方法指定信号がサブフィールド演算回路１３Ｂからサブフィールド変換回路１２及び駆動信号制御回路１５へ供給される。
【０１０１】
サブフィールド変換回路１２は、アドレス方法指定信号を受け取ると、上記駆動対象のサブフィールドの最初の走査ラインから順次のいずれの走査ラインについても、当該走査ラインの映像データ信号を、供給されたアドレス方法指定信号対応の信号形式でデータドライバ１４に供給する一方、駆動信号制御回路１５は、供給されたアドレス方法指定信号対応の走査ドライバ制御信号を走査ドライバ１６に供給すると共に、アドレス方法指定信号対応の共通ドライバ制御信号を共通ドライバ１８に供給する。
【０１０２】
したがって、プラズマディスプレイパネル１００のいずれの走査ライン対応の表示セル行のいずれの表示セルも、実施例２と同様に、そのサブフィールドのリセット期間で消灯又は発光され、アドレス期間において発光対象の表示セルの各々が発光されるか、又は発光対象の表示セルの各々が発光されたまま残され他の表示セルの各々は消光される。
【０１０３】
上述したサブフィールド演算回路１３Ｂにおけるアドレス方法の選択の具体例を図９を参照して説明する。
図９は、プラズマディスプレイパネルのサイズが１０×１０の場合である。
サブフィールド演算回路１３Ｂにおいて、表示セル行１から表示セル行１０までの表示セル行間の不一致数（変位数）を算定したとき、全表示セル行の変位数の各々は、図９の最下部に示すように、８、３、９、６、６、８、１０、５、１であったとする。
【０１０４】
また、データドライバ１４が、１つの表示セルに変位電流を流したときのデータドライバ１４での消費電力は3.5mＷであり、共通ドライバ１８が各共通電極に変位電流を流したときの共通ドライバ１８での表示セル行当たりの消費電力は２０mＷであるとする。表示セル行当たりの消費電力は、例えば、表示セル行毎にアドレス方法を変えたときに共通ドライバ１８で消費される消費電力が２００mＷであるとしたときの表示セル行当たりの値である。
【０１０５】
上述したように、最初の表示セル行１は、例えば、アドレス方法として書込み選択方法を選択され、表示セル行１と表示セル行２との間の不一致数は８である。
表示セル行２に対するアドレス方法を表示セル行１と同じであるとすると、データドライバ１４が変位電流を供給しなければならない表示セル行２の表示セルの数は８であるが、表示セル行２に対して消去選択方法を選択したときには、データドライバ１４が変位電流を供給しなければならない表示セル行２の表示セルの数は２に低減する。
【０１０６】
したがって、データドライバ１４での消費電力の低減量は２１mＷとなり、共通ドライバ１８での消費電力の増加量２０mＷより多いので、サブフィールド演算回路１３Ｂは、表示セル行１に対するアドレス方法と異なる消去選択方法を選択して消去選択指定信号をサブフィールド変換回路１２及び駆動信号制御回路１５へ供給する。
以下同様に、表示セル行２、表示セル行４、表示セル行７及び表示セル行８のアドレス方法が変更されるが、表示セル行３、表示セル行５、表示セル行６、表示セル行９及び表示セル行１０のアドレス方法は直前表示セル行のアドレス方法指定信号のままとなり、変更されない。
【０１０７】
このように、この実施例の構成によれば、データドライバからデータ電極に印加される電圧の表示セル行間の変化（変位電流の供給）に加えて、共通ドライバから共通電極に供給される電圧の表示セル行間の変化（変位電流の供給）を考慮に入れて、すなわち、データドライバでの消費電力の低減量に共通ドライバでの消費電力の増加量をも考慮に入れて表示セル行のアドレス方法を決定しているので、決定されたアドレス方法によればデータドライバ１４での消費電力の低減効果を共通ドライバでの消費電力の増加により帳消しにならないようにすることができる。
【実施例４】
【０１０８】
図１０は、この発明の実施例４であるプラズマディスプレイパネルの駆動装置の電気的構成を示す図、図１１は、同駆動装置の共通電極とこれを駆動する共通ドライバの構成を示す図、図１２は、同駆動装置を書込み選択方法で駆動する場合の駆動波形図、また、図１３は、同駆動装置を消去選択方法で駆動する場合の駆動波形図である。
この実施例の構成が、実施例２のそれと大きく異なる点は、実施例２における共通ドライバの動作率を低減さようにした点である。
【０１０９】
すなわち、この実施例の駆動装置１０Ｃは、図１０に示す共通ドライバ１８Ｃを、図１１に示すように、プラズマディスプレイパネル１００の各共通電極１０４ｉを個別に駆動するようにしてて構成される。
この構成以外のこの実施例の構成は、実施例２と同じであるので、同一の構成部分には同一の参照符号を付して、その逐一の説明は省略する。
【０１１０】
次に、図１０乃至図１３を参照して、この実施例の動作について説明する。
この実施例におけるプラズマディスプレイパネル１００の駆動は、以下に述べる点を除き、実施例２の場合と同じである。以下においては、その相違点を主として述べる。
１フィールド毎に映像信号がサブフィールド変換回路１２に入力されると、その１フィールドの映像信号は、所定数のサブフィールドの映像データ信号に変換され、そのサブフィールド毎の映像データ信号の各画素の論理値が、サブフィールド演算回路１３Ａに供給されることは実施例２と同じである。
【０１１１】
サブフィールド演算回路１３Ａからサブフィールド変換回路１２及び駆動信号制御回路１５へのアドレス方法指定信号の供給の仕方は、実施例２と同じである。
また、サブフィールド変換回路１２による供給されたアドレス方法指定信号対応の映像データ信号のデータドライバ１４への供給の仕方並びに駆動信号制御回路１５による供給されたアドレス方法指定信号対応の走査ドライバ制御信号の走査ドライバ１６への供給の仕方及びアドレス方法指定信号対応の共通ドライバ制御信号の共通ドライバ１８Ｃへの供給の仕方も同じである。
【０１１２】
したがって、上記各表示セル行の各表示セルは、実施例２と同様に、そのサブフィールドのリセット期間で消灯又は発光され、アドレス期間において発光対象の表示セルの各々が発光されるか、又は発光対象の表示セルの各々が発光されたまま残され他の表示セルの各々は消灯され、そしてその発光状態は維持期間の間持続され、そして消光されることも同じである。
【０１１３】
上述したようなアドレス方法でプラズマディスプレイパネル１００が駆動されるときに、駆動される表示セル行のアドレス方法が書込み選択指定信号で指定されているか、又は消去選択指定信号で指定されているかに従って、当該表示セル行の共通電極に共通ドライバから印加される電圧は異なる。
実施例２では、各共通電極１０４ｉは、１つの共通ドライバ１８からその電圧が印加されているから、或る共通電極においては電圧の変更を要しない場合でも、その共通電極に異なる電圧が印加されて仕舞っている。
【０１１４】
しかしながら、この実施例によれば、そのような不都合は回避し得る。
これを具体的に説明すると、次のようになる。
プラズマディスプレイパネル１００が、例えば、１０×１０で、このプラズマディスプレイパネル１００のアドレス方法が、図１２に示すように、表示セル行１に対し書込み選択方法が選択されているとすると、表示セル行４のアドレス方法は、書込み選択指定信号で指定されるから、表示セル行４の共通電極１０４４の電圧は、図１２に示すように、アドレス期間の間、高レベルの電圧に設定しておけば良く、また、表示セル行３の共通電極１０４３の電圧は、図１３に示すように、アドレス期間の間、低レベルの電圧に設定しておけば良い。
なお、図１２及び図１３中のＡ［Ｎ］及びＢ［Ｎ］は、実施例２の場合と同じである。
【０１１５】
このように、この実施例の構成によれば、共通ドライバ１８Ｃは、実施例２の共通ドライバ１８のようにアドレス方法の変更で共通電極に印加される電圧を高レベルの電圧と低レベルの電圧との間で変化させる必要は無くなり、共通ドライバ１８Ｃによる各共通電極を駆動する動作率を低減させるとができる。ＰＤＰの駆動装置１０Ｃの消費電力の低減となる。
【実施例５】
【０１１６】
図１４は、この発明の実施例５であるプラズマディスプレイ表示装置の電気的構成を示す図である。
この実施例の構成が、実施例１乃至実施例４のそれと大きく異なるところは、実施例１乃至実施例４に記載されるプラズマディスプレイパネルの駆動装置を装備した表示装置に構成した点である。
【０１１７】
この例のプラズマ表示装置４０は、図１４に示すように、モジュール構造を有するものとして設計されており、具体的には、アナログインタフェース（以下、アナログＩＦ）２０とＰＤＰモジュール３０とにより構成されている。
【０１１８】
アナログＩＦ２０は、図１４に示すように、クロマ・デコータを備えるＹ／Ｃ分離回路２１と、Ａ／Ｄ変換回路２２と、ＰＬＬ回路を備える同期信号制御回路２３と、画像フォーマット変換回路２４と、逆γ（ガンマ）変換回路２５とから構成されている。
【０１１９】
概略的には、アナログＩＦ２０は、受信したアナログ映像信号をデジタル映像信号に変換した後、そのデジタル映像信号をＰＤＰモジュール３０に供給する。
これを図１４を参照して具体的に説明すると、Ｙ／Ｃ分離回路２１は、テレビチューナーから出力されたアナログ映像信号をＲＧＢの各色の輝度信号に分解し、Ａ／Ｄ変換回路２２が、ＲＧＢの各色の輝度信号をそれぞれデジタル信号に変換する。
【０１２０】
そして、ＰＤＰモジュール３０の画素構成と映像信号の画素構成とが異なる場合には、画像フォーマット変換回路２４が必要な画像フォーマットへの変換を行う。
Ａ／Ｄ変換回路２２から出力されたデジタル信号は、逆γ変換回路２５において、デジタル映像信号に対して逆γ変換が施される。これは、通常の映像信号はＣＲＴの特性に合わせて、予め補正（γ変換）されているので、デジタル映像信号に対して元の線形特性を与えるためである。
これにより、ＰＤＰは、そこへの入力信号に対する表示輝度の特性が線形的に比例していることとの整合が取れる。
このようにして、線形特性が復元されたデジタル映像信号は、ＲＧＢ映像信号としてＰＤＰモジュール３０に出力される。
【０１２１】
同期信号制御回路２３に内蔵されているＰＬＬ回路が、アナログ映像信号と同時に供給される水平同期信号を用いてサンプリングクロック及びデータクロック信号を生成し、ＰＤＰモジュール３０に出力する。
【０１２２】
ＰＤＰモジュール３０は、デジタル信号処理・制御回路３１と、パネル部３２とから構成されている。
デジタル信号処理・制御回路３１は、入力ＩＦ信号処理回路３４と、サブフィールド変換回路１２と、サブフィールド演算回路１３と、駆動信号制御回路１５とから構成されている。サブフィールド変換回路１２と、サブフィールド演算回路１３と、駆動信号制御回路１５とは、実施例１乃至実施例４において説明したものと同じである。
【０１２３】
デジタル信号処理・制御回路３１は、入力ＩＦ信号処理回路３４において、上述の各種信号のインタフェース処理を行った後、それら信号回路をサブフィールド変換回路１２に供給する。
サブフィールド変換回路１２は、実施例１乃至実施例４と同じように、入力されたデジタル映像信号をフィールド毎にサブフィールドに変換すると共に、変換されたサブフィールド内の各画素についての映像データ信号を、供給されるアドレス方法指定信号対応に非反転形式又は反転形式でデータドライバ１４に供給する回路である。
【０１２４】
サブフィールド演算回路１３は、実施例１乃至実施例４と同じように、サブフィールド変換回路１２で変換された映像データ信号に基づいてアドレス方法指定信号をサブフィールド変換回路１２及び駆動信号制御回路１５に供給する回路である。
また、アドレス方法指定信号を供給された駆動信号制御回路１５は、実施例１乃至実施例４と同じように、アドレス方法指定信号対応の走査ドライバ制御信号を走査ドライバ１６に供給すると共に、アドレス方法指定信号対応の共通ドライバ制御信号を共通ドライバ１８に供給する回路である。
【０１２５】
共通ドライバ１８は、実施例１乃至実施例４と同じように、サブフィールド期間のリセット期間、アドレス期間、維持期間及び維持消去期間対応で、かつ、供給された共通ドライバ制御信号対応の電圧信号を共通電極１０４ｊ（図１５）に順次印加するドライバであり、走査ドライバ１６は、サブフィールド期間のリセット期間、アドレス期間、維持期間及び維持消去期間対応で、かつ、供給された走査ドライバ制御信号対応の電圧信号を走査電極１０２ｉ（図１５）に順次印加するドライバである。データドライバ１４は、リセット期間に、データ電極１０６ｊ（図１５）に映像データ信号対応のデータパルスを印加するドライバである。
【０１２６】
パネル部３２は、図１１又は図１５で説明したＰＤＰ１００と、データ電極を駆動するデータドライバ１４と、走査電極を駆動する走査ドライバ１６と、共通ドライバ１８とが一枚の基板上に配置されてその全体が構成されている。
【０１２７】
ＰＤＰ１００は、例えば１３６５個×７６８個に配列された表示セルを有するものとして構成されている。ＰＤＰ１００においては、走査ドライバ１６が走査電極１０２ｉを制御し、データドライバ１４がデータ電極を制御することにより、これらの走査電極１０２ｉのうちの所望の表示セルの点灯又は非点灯が制御され、所望の表示が行われる。
なお、ロジック用電源がデジタル信号処理・制御回路３１及びパネル部３２にロジック用電力を供給している。さらに、表示用電源が、所定の電圧をパネル部３２に供給している。
【０１２８】
次に、この実施例のプラズマ表示装置４０の動作を概略的に説明する。
入力されたアナログ映像信号は、Ｙ／Ｃ分離回路２１でＲＧＢの各色の輝度信号に分解され、ＲＧＢの各色の輝度信号は、Ａ／Ｄ変換回路２２でそれぞれデジタル信号に変換される。
【０１２９】
そして、変換されたデジタル信号は、映像信号の画素構成とＰＤＰモジュール３０の画素構成とに相違がある場合には、画像フォーマット変換回路２４で必要な画像フォーマットの変換が行われる。
このようにして出力されたデジタル信号は、逆γ変換回路２５において、デジタル映像信号に対して逆γ変換が施される。
このようにして、線形特性が復元されたデジタル映像信号は、ＲＧＢ映像信号としてＰＤＰモジュール３０に出力される。
【０１３０】
同期信号制御回路２３に内蔵されているＰＬＬ回路は、アナログ映像信号と同時に供給される水平同期信号を用いてサンプリングクロック及びデータクロック信号を生成し、ＰＤＰモジュール３０に出力する。
【０１３１】
ＰＤＰモジュール３０の入力ＩＦ信号処理回路３４は、上述の各種信号のインタフェース処理を行った後、それら信号をサブフィールド変換回路１２に供給する。
サブフィールド変換回路１２は、入力されたデジタル映像信号をフィールド毎にサブフィールドに変換すると共に、変換されたサブフィールド内の各画素についての映像データ信号を、供給されるアドレス方法指定信号対応に非反転形式又は反転形式でデータドライバ１４に供給する
【０１３２】
サブフィールド変換回路１２で変換された映像データ信号を供給されたサブフィールド演算回路１３は、映像データ信号に基づいてアドレス方法指定信号をサブフィールド変換回路１２及び駆動信号制御回路１５に供給する。
また、アドレス方法指定信号を供給された駆動信号制御回路１５は、アドレス方法指定信号対応の走査ドライバ制御信号を走査ドライバ１６に供給すると共に、アドレス方法指定信号対応の共通ドライバ制御信号を共通ドライバ１８に供給する。
【０１３３】
共通ドライバ制御信号を供給される共通ドライバ１８は、サブフィールド期間のリセット期間、アドレス期間、維持期間及び維持消去期間対応で、かつ、供給された共通ドライバ制御信号対応の電圧信号を共通電極１０４ｊに順次印加するのと同期して、走査ドライバ制御信号を供給される走査ドライバ１６は、サブフィールド期間のリセット期間、アドレス期間、維持期間及び維持消去期間対応で、かつ、供給された走査ドライバ制御信号対応の電圧信号を走査電極１０２ｉに順次印加する。
そして、データドライバ１４は、リセット期間に、データ電極１０６ｊに映像データ信号対応のデータパルスを順次印加する。
【０１３４】
このようにしてＰＤＰ１００が駆動されるアドレス期間において、走査ドライバ１６が走査パルスを走査電極１０２ｉに線順次で印加し、データドライバ１４がデータパルスをデータ電極に順次印加することにより、ＰＤＰ１００の表示セル１０８ｉｊのうちの映像信号の画素対応の表示セルが点灯又は非点灯されて所望の画像がＰＤＰ１００の画面上に表示される。
【０１３５】
このように、この実施例の構成によれば、プラズマディスプレイパネルの走査電極及び又は共通電極を駆動する電圧の変化を低減させるプラズマディスプレイパネルの駆動装置を備えて走査ドライバ及び又は共通ドライバでの消費電力の低減等を図りつつ、しかもプラズマディスプレイパネルのモジュール構成によりプラズマ表示装置の故障時にＰＤＰモジュールの交換が可能となり、補修の簡素化及びその短縮化をも享受し得るプラズマ表示装置を提供することができる。
【０１３６】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、書込み選択方法又は消去選択方法のうちのいずれか一方の上記選択は、フィールド内の画素信号の発光を指示する論理値の個数がフィールド内の画素信号の非発光を指示する論理値の個数り少ないとき、書込み選択方法を選択し、フィールド内の画素信号の発光を指示する論理値の個数がフィールド内の画素信号の非発光を指示する論理値の個数より多いとき、消去選択方法を選択するように構成してもよい。
同様の場合において、フィールド全体ではなく、フィールド内の一部、例えば、複数の走査ラインに対して同様の仕方でアドレス方法を選択するようにしてもよい。
【０１３７】
また、実施例３においては、共通ドライバ１８の消費電力として、表示セル行当たりの消費電力を基準にしている例を示したが、映像信号のフィールドについて共通ドライバ１８で消費される平均的な消費電力を基準にして、実施例３と同様にして、アドレス方法を選択するようにしてもよい。
これと実施例４との結合になる構成で駆動装置を構成してもよい。
上記のいずれにおいても、サブフィールド法以外での映像信号のフィールド内の各画素信号を当該画素信号についての発光又は非発光を指定する論理値に変換してプラズマディスプレイパネルの表示セルを駆動する場合にも、拡張して適用できる。
【０１３８】
また、共通ドライバでの消費電力の増加をアドレス方法の選択に考慮する場合に、映像信号の映像画素信号を表示画素信号に変換し、変換された表示画像信号を用いることになしに、アドレス方法が変更される場合にそのアドレス方法の変更に際して共通ドライバでの消費電力の増加を考慮に入れるようにしてもよい。
【産業上の利用可能性】
【０１３９】
ここに開示しているプラズマディスプレイパネルの駆動方法及びその装置は、各種の表示装置、例えば、情報処理装置、携帯端末装置、ビデオカメラの表示装置等やテレビ等として利用し得る。
【図面の簡単な説明】
【０１４０】
【図１】図１は、この発明の実施例１であるプラズマディスプレイパネルの駆動装置の電気的構成を示す図である。
【図２】同駆動装置の発光セルが非発光セルより多い場合の駆動状況を示す図である。
【図３】同駆動装置の発光セルが非発光セルより少ない場合の駆動状況を示す図である。
【図４】この発明の実施例２であるプラズマディスプレイパネルの駆動装置の電気的構成を示す図である。
【図５】同駆動装置におけるアドレス方法の選択フローチャートである。
【図６】同駆動装置におけるアドレス方法の選択例を図解する図である。
【図７】同駆動装置において選択されるアドレス方法で駆動される場合の駆動波形図である。
【図８】この発明の実施例３であるプラズマディスプレイパネルの駆動装置の電気的構成を示す図である。
【図９】同駆動装置において選択されるアドレス方法で駆動される場合の駆動波形図である。
【図１０】この発明の実施例４であるプラズマディスプレイパネルの駆動装置の電気的構成を示す図である。
【図１１】同駆動装置の共通電極とこれを駆動する共通ドライバの構成を示す図である。
【図１２】同駆動装置を書込み選択で駆動する場合の駆動波形図である。
【図１３】同駆動装置を消去選択で駆動する場合の駆動波形図である。
【図１４】この発明の実施例５であるプラズマディスプレイ表示装置の電気的構成を示す図である。
【図１５】従来のプラズマディスプレイパネル及びその駆動装置の概略図である。
【図１６】従来の駆動装置を書込み選択方法で構成する場合の電気的構成の概略図である。
【図１７】図１６に示す駆動装置の駆動波形図である。
【図１８】従来の駆動装置を消去選択方法で構成する場合の電気的構成の概略図である。
【図１９】図１８に示す駆動装置の駆動波形図である。
【符号の説明】
【０１４１】
１０、１０Ａ、１０Ｂ、１０Ｃ      駆動装置
１２      サブフィールド変換回路（変換回路）
１３、１３Ａ、１３Ｂ      サブフィールド演算回路
１４      データドライバ（駆動制御回路の一部）
１５      駆動信号制御回路（駆動制御回路の一部）
１６      走査ドライバ（駆動制御回路の一部）
１８、１８Ｃ、１８Ｃｉ      共通ドライバ（駆動制御回路の残部）
２０      アナログＩＦ
３０      ＰＤＰモジュール
４０      プラズマ表示装置
【図１】
2005215246.tif 000003
【図２】
2005215246.tif 000004
【図３】
2005215246.tif 000005
【図４】
2005215246.tif 000006
【図５】
2005215246.tif 000007
【図６】
2005215246.tif 000008
【図７】
2005215246.tif 000009
【図８】
2005215246.tif 000010
【図９】
2005215246.tif 000011
【図１０】
2005215246.tif 000012
【図１１】
2005215246.tif 000013
【図１２】
2005215246.tif 000014
【図１３】
2005215246.tif 000015
【図１４】
2005215246.tif 000016
【図１５】
2005215246.tif 000017
【図１６】
2005215246.tif 000018
【図１７】
2005215246.tif 000019
【図１８】
2005215246.tif 000020
【図１９】
2005215246.tif 000021